(57)【要約】【課題】空気調和システムの冷媒量が適正か否かをより高精度に判定できるようにする。【解決手段】冷媒量判定装置が、空気調和システムが備える室内機の膨張弁又は過冷却熱交換器側の膨張弁の少なくともいずれかである判定対象膨張弁の開度を示す膨張弁開度情報を取得する情報取得部と、前記空気調和システムが備える室外熱交換器の過冷却度を増加させる過冷却度調整部と、前記過冷却度を増加させる前の前記判定対象膨張弁の開度と前記過冷却度を増加させた後の前記判定対象膨張弁の開度とに基づいて、前記空気調和システムの冷媒量が適正か否かの判定を行う冷媒量判定部と、を備える。【選択図】図３
2018141607.tif 000002
【特許請求の範囲】
【請求項１】
空気調和システムが備える室内機の膨張弁又は過冷却熱交換器側の膨張弁の少なくともいずれかである判定対象膨張弁の開度を示す膨張弁開度情報を取得する情報取得部と、
前記空気調和システムが備える室外熱交換器の過冷却度を増加させる過冷却度調整部と、
前記過冷却度を増加させる前の前記判定対象膨張弁の開度と前記過冷却度を増加させた後の前記判定対象膨張弁の開度とに基づいて、前記空気調和システムの冷媒量が適正か否かの判定を行う冷媒量判定部と、
を備える冷媒量判定装置。
【請求項２】
前記過冷却度調整部は、前記空気調和システムが備える室外熱交換器側の膨張弁の開度を小さくすることで前記過冷却度を増加させる、
請求項１に記載の冷媒量判定装置。
【請求項３】
前記冷媒量判定部は、さらに前記過冷却度調整部が過冷却度を増加させる前の前記過冷却度に基づいて、前記空気調和システムの冷媒量が適正か否かの判定を行う、
請求項１又は請求項２に記載の冷媒量判定装置。
【請求項４】
前記過冷却度調整部は、前記過冷却度を第１過冷却度、前記第１過冷却度よりも大きい第２過冷却度、前記第２過冷却度よりも大きい第３過冷却度のそれぞれに変化させ、
前記冷媒量判定部は、前記第１過冷却度、前記第２過冷却度、前記第３過冷却度それぞれの場合の前記判定対象膨張弁の開度に基づいて、前記空気調和システムの冷媒量が適正か否かの判定を行う、
請求項１から３のいずれか一項に記載の冷媒量判定装置。
【請求項５】
請求項１から４のいずれか一項に記載の冷媒量判定装置を備える空気調和システム。
【請求項６】
空気調和システムが備える室外熱交換器の過冷却度を増加させ、
過冷却度を増加させる前の、前記空気調和システムが備える室内機の膨張弁又は過冷却熱交換器側の膨張弁の少なくともいずれかである判定対象膨張弁の開度と、過冷却度を増加させた後の前記判定対象膨張弁の開度とに基づいて、前記空気調和システムの冷媒量が適正か否かの判定を行う
ことを含む冷媒量判定方法。
【請求項７】
空気調和システムを制御するコンピュータに、
前記空気調和システムが備える室外熱交換器の過冷却度を増加させる制御を行わせ、
過冷却度を増加させる前の、前記空気調和システムが備える室内機の膨張弁又は過冷却熱交換器側の膨張弁の少なくともいずれかである判定対象膨張弁の開度と、過冷却度を増加させた後の前記判定対象膨張弁の開度とに基づいて、前記空気調和システムの冷媒量が適正か否かの判定を行わせる
ためのプログラム。
【発明の詳細な説明】
【技術分野】
【０００１】
本発明は、冷媒量判定装置、空気調和システム、冷媒量判定方法およびプログラムに関する。
【背景技術】
【０００２】
空気調和システムを効率よく運転させるために、空気調和システムに適量の冷媒が封入されていることが重要である。これに関連して、特許文献１には冷媒封入量判定方法が示されている。特許文献１に記載の冷媒封入量判定方法では、空気調和システムを冷房サイクルで運転させ、室内膨張弁、及び、過冷却用膨張弁のうち何れか一方又は両方の開度が所定値以上のときに、冷媒封入量がガスロー状態と判定する。
【先行技術文献】
【特許文献】
【０００３】
【特許文献１】特開２００８−９６０５１号公報
【発明の概要】
【発明が解決しようとする課題】
【０００４】
特許文献１に記載の冷媒封入量決定方法によれば、空気調和システムのガスロー状態を検出することができる。空気調和システムのガスロー状態が検出された場合、空気調和システム内の冷媒量を増やすことで空気調和システムを効率よく運転させることができる。
空気調和システムの冷媒量が適正か否かをより高精度に判定することができれば、さらに好ましい。
【０００５】
本発明は、空気調和システムの冷媒量が適正か否かをより高精度に判定することができる、冷媒量判定装置、空気調和システム、冷媒量判定方法およびプログラムを提供する。
【課題を解決するための手段】
【０００６】
本発明の第１の態様によれば、冷媒量判定装置は、空気調和システムが備える室内機の膨張弁又は過冷却熱交換器側の膨張弁の少なくともいずれかである判定対象膨張弁の開度を示す膨張弁開度情報を取得する情報取得部と、前記空気調和システムが備える室外熱交換器の過冷却度を増加させる過冷却度調整部と、前記過冷却度を増加させる前の前記判定対象膨張弁の開度と前記過冷却度を増加させた後の前記判定対象膨張弁の開度とに基づいて、前記空気調和システムの冷媒量が適正か否かの判定を行う冷媒量判定部と、を備える。
【０００７】
前記過冷却度調整部は、前記空気調和システムが備える室外熱交換器側の膨張弁の開度を小さくすることで前記過冷却度を増加させるようにしてもよい。
【０００８】
前記冷媒量判定部は、さらに前記過冷却度調整部が過冷却度を増加させる前の前記過冷却度に基づいて、前記空気調和システムの冷媒量が適正か否かの判定を行うようにしてもよい。
【０００９】
前記過冷却度調整部は、前記過冷却度を第１過冷却度、前記第１過冷却度よりも大きい第２過冷却度、前記第２過冷却度よりも大きい第３過冷却度のそれぞれに変化させ、前記冷媒量判定部は、前記第１過冷却度、前記第２過冷却度、前記第３過冷却度それぞれの場合の前記判定対象膨張弁の開度に基づいて、前記空気調和システムの冷媒量が適正か否かの判定を行うようにしてもよい。
【００１０】
本発明の第２の態様によれば、空気調和システムは、上述したいずれか一項に記載の冷媒量判定装置を備える。
【００１１】
本発明の第３の態様によれば、冷媒量判定方法は、空気調和システムが備える室外熱交換器の過冷却度を増加させ、過冷却度を増加させる前の、前記空気調和システムが備える室内機の膨張弁又は過冷却熱交換器側の膨張弁の少なくともいずれかである判定対象膨張弁の開度と、過冷却度を増加させた後の前記判定対象膨張弁の開度とに基づいて、前記空気調和システムの冷媒量が適正か否かの判定を行うことを含む。
【００１２】
本発明の第４の態様によれば、プログラムは、空気調和システムを制御するコンピュータに、前記空気調和システムが備える室外熱交換器の過冷却度を増加させる制御を行わせ、過冷却度を増加させる前の、前記空気調和システムが備える室内機の膨張弁又は過冷却熱交換器側の膨張弁の少なくともいずれかである判定対象膨張弁の開度と、過冷却度を増加させた後の前記判定対象膨張弁の開度とに基づいて、前記空気調和システムの冷媒量が適正か否かの判定を行わせる、ためのプログラムである。
【発明の効果】
【００１３】
上記した冷媒量判定装置、空気調和システム、冷媒量判定方法およびプログラムによれば、空気調和システムの冷媒量が適正か否かをより高精度に判定することができる。
【図面の簡単な説明】
【００１４】
【図１】本発明の実施形態に係る空気調和システムの機能構成を示す概略ブロック図である。
【図２】同実施形態に係る空気調和システム本体の装置構成の例を示す概略構成図である。
【図３】同実施形態に係る制御装置の機能構成を示す概略ブロック図である。
【図４】同実施形態に係る冷媒量判定部が２段階の過冷却度でのデータに基づいて冷媒量が適正か否かを判定する場合の、判定基準の例を示す図である。
【図５】同実施形態に係る制御装置が２段階の過冷却度でのデータに基づいて冷媒量が適正か否かを判定する場合の処理手順の例を示すフローチャートである。
【図６】同実施形態に係る制御装置が室外熱交換器の過冷却度を増加させる処理手順の例を示すフローチャートである。
【図７】同実施形態に係る冷媒量判定部が３段階の過冷却度でのデータに基づいて冷媒量が適正か否かを判定する場合の、判定基準の例を示す図である。
【図８】同実施形態に係る制御装置が３段階の過冷却度でのデータに基づいて冷媒量が適正か否かを判定する場合の処理手順の例を示すフローチャートである。
【発明を実施するための形態】
【００１５】
以下、本発明の実施形態を説明するが、以下の実施形態は請求の範囲にかかる発明を限定するものではない。また、実施形態の中で説明されている特徴の組み合わせの全てが発明の解決手段に必須であるとは限らない。
図１は、本発明の実施形態に係る空気調和システム（Air Conditioning System）の機能構成を示す概略ブロック図である。図１に示すように、空気調和システム１は、空気調和システム本体１００と、制御装置４００とを備える。
【００１６】
空気調和システム本体１００は、制御装置４００の制御に従って動作して、温度調整対象となっている室内の空気温度を調整する。但し、空気調和システム本体１００が温度調整を行う対象は室内に限らない。例えば、屋外のスポット冷暖房など、空気調和システム本体１００が、屋外の空間の空気温度を調整するようにしてもよい。
図２は、空気調和システム本体１００の装置構成の例を示す概略構成図である。図２の例で、空気調和システム本体１００は、室外機２００と、室内機３００とを備える。室外機２００は、圧縮機２１１と、アキュムレータ２１２と、四方弁２２１と、室外熱交換器２３１と、室外側膨張弁２３２と、レシーバタンク２４１と、過冷却熱交換器２５１と、過冷却側膨張弁２５２と、高圧側圧力センサ２９１と、室外熱交換器出口温度センサ２９２とを備える。室内機３００は、室内熱交換器３１１と、室内機側膨張弁３１２とを備える。
【００１７】
図２では、空気調和システム本体１００が複数の室内機３００を備える場合の例を示しているが、空気調和システム本体１００が備える室内機３００の数は１つ以上であればよい。空気調和システム本体１００が備える室外機２００の数も１つ以上であればよい。
また、圧縮機２１１、アキュムレータ２１２、四方弁２２１、レシーバタンク２４１、過冷却熱交換器２５１、及び、過冷却側膨張弁２５２の設置場所は室外機２００に限らない。例えば、圧縮機２１１、アキュムレータ２１２、四方弁２２１、レシーバタンク２４１、過冷却熱交換器２５１、及び、過冷却側膨張弁２５２のうちの一部又は全部が室外機２００とは別の装置として構成されるなど、室外機２００の外部に設置されていてもよい。
また、空気調和システム１は、冷房専用のシステムであってもよい。図２の例では、四方弁２２１の切り替えによって冷房サイクルと暖房サイクルの切り替えが行われる。
【００１８】
冷房サイクルでは、圧縮機２１１で圧縮された気体の冷媒が、四方弁２２１を経由して室外熱交換器２３１へ流入する。室外熱交換器２３１へ流入した気体の冷媒は、室外の空気との熱交換によって放熱して凝縮する。凝縮によって液体になった冷媒は、室外側膨張弁２３２を経由してレシーバタンク２４１に流入する。レシーバタンク２４１には、運転状況の変化に対応するための余裕分の冷媒が蓄えられる。
【００１９】
レシーバタンク２４１から流出した冷媒は、過冷却熱交換器２５１で過冷却された後、室内機３００へ流入する。過冷却熱交換器２５１は、室外機２００と室内機３００との間の配管で冷媒が蒸発するのを防止するために冷媒の過冷却を行う。具体的には、レシーバタンク２４１から流出した液体の冷媒の一部が過冷却側膨張弁２５２で減圧された後に過冷却熱交換器２５１へ流入し、過冷却熱交換器２５１で蒸発する。この蒸発する冷媒が、レシーバタンク２４１から過冷却熱交換器２５１を経由して室内機３００へ流入する冷媒と熱交換して蒸発熱を奪う。これによって、レシーバタンク２４１から過冷却熱交換器２５１を経由して室内機３００へ流入する冷媒が過冷却される。
【００２０】
レシーバタンク２４１から過冷却側膨張弁２５２を経由して過冷却熱交換器２５１へ流入した冷媒は、過冷却熱交換器２５１で蒸発して気体になった後、アキュムレータ２１２を経由して圧縮機２１１へ流入し圧縮される。
但し、過冷却熱交換器２５１及び過冷却側膨張弁２５２は、空気調和システム本体１００に必須ではない。例えば、室外機２００と室内機３００との間の配管の距離が短い場合など冷媒の蒸発を気にしなくてよい場合は、空気調和システム本体１００が過冷却熱交換器２５１及び過冷却側膨張弁２５２を備えていなくてもよい。
【００２１】
室内機３００へ流入した冷媒は、室内機側膨張弁３１２で減圧された後、室内熱交換器３１１へ流入する。
室内熱交換器３１１へ流入した冷媒は、室内の空気との熱交換によって吸熱して蒸発する。この吸熱により室内の空気が冷却される。
蒸発によって気体になった冷媒は、四方弁２２１及びアキュムレータ２１２を経由して圧縮機２１１へ流入し圧縮される。アキュムレータ２１２は、アキュムレータ２１２自らに流入する冷媒を液体の冷媒と気体の冷媒とに分離し、気体の冷媒のみを圧縮機２１１へ流入させる。圧縮機２１１へ液体の冷媒が流入して圧縮機２１１が能力低下又は故障することを回避するためである。
【００２２】
高圧側圧力センサ２９１は、四方弁２２１と室外熱交換器２３１との間の配管に設けられ、この配管における冷媒の圧力を測定する。特に冷房サイクルの場合、高圧側圧力センサ２９１は、圧縮機２１１で圧縮され、四方弁２２１を経由して室外熱交換器２３１へ流入する、高圧気体の冷媒の圧力を測定する。この場合、高圧側圧力センサ２９１が測定する圧力をもとに情報取得部４９１にて室外熱交換器２３１の圧力飽和温度を算出する。
室外熱交換器出口温度センサ２９２は、室外熱交換器２３１の出口に設けられ、室外熱交換器２３１から流出する冷媒の温度を測定する。
【００２３】
制御装置４００は、空気調和システム本体１００を制御して室温を調整させる。また、制御装置４００は、冷媒量判定装置の例に該当し、空気調和システム１の冷媒量（空気調和システム本体１００の冷媒量）が適正か否かの判定を行う。空気調和システム１の冷媒量は、空気調和システム１に封入されている冷媒の量である。空気調和システム１の冷媒量を空気調和システム本体１００の冷媒量とも称する。
【００２４】
制御装置４００は、例えばマイコン（Micro Computer）などのコンピュータを用いて構成される。
制御装置４００の設置位置は特定の位置に限定されない。例えば、制御装置４００が室外機２００の内部に設置されていてもよいし、室内機３００の内部に設置されていてもよいし、室外機２００及び室内機３００と別の装置として構成されていてもよい。
また、冷媒量判定装置が制御装置４００とは別の装置として構成されていてもよい。
【００２５】
図３は、制御装置４００の機能構成を示す概略ブロック図である。図３に示すように、制御装置４００は、通信部４１０と、操作入力部４２０と、表示部４３０と、記憶部４８０と、制御部４９０とを備える。制御部４９０は、情報取得部４９１と、過冷却度調整部４９２と、冷媒量判定部４９３とを備える。
【００２６】
通信部４１０は、他の機器と通信を行う。特に、通信部４１０は、高圧側圧力センサ２９１による圧力測定値を示すセンサ信号、及び、室外熱交換器出口温度センサ２９２による温度測定値を示すセンサ信号を受信する。また、通信部４１０は、空気調和システム本体１００の各部に対する制御信号を送信する。
操作入力部４２０は、例えば押釦等の入力デバイスを備え、ユーザ操作を受ける。操作入力部４２０の全部又は一部がリモコン（Remote Controller）に配置されていてもよい。
【００２７】
表示部４３０は、例えば液晶パネル又はランプ、或いはこれらの組み合わせ等の表示デバイスを備え、各種情報を表示する。特に、表示部４３０は、冷媒量が適正か否かの判定結果を表示する。例えば、表示部４３０は、冷媒量過多を示す冷媒量過多警報ランプ、及び、冷媒量過少を示す冷媒量過少ランプを備える。冷媒量判定部４９３が冷媒量過多と判定した場合、表示部４３０は、冷媒量過多警報ランプを点灯させる。また、冷媒量判定部４９３が冷媒量過少と判定した場合、表示部４３０は、冷媒量過少警報ランプを点灯させる。
表示部４３０の全部又は一部がリモコンに配置されていてもよい。
【００２８】
記憶部４８０は、各種情報を記憶する。記憶部４８０は制御装置４００が備える記憶デバイスを用いて構成される。
制御部４９０は、制御装置４００の各部を制御して各種処理を実行する。制御部４９０は、例えば制御装置４００が備えるＣＰＵ（Central Processing Unit）が記憶部４８０からプログラムを読み出して実行することで構成される。
【００２９】
情報取得部４９１は、判定対象膨張弁の開度を示す膨張弁開度情報を取得する。ここでいう判定対象膨張弁は、過冷却側膨張弁２５２及び室内機側膨張弁３１２のうちいずれか一方又は両方である。過冷却側膨張弁２５２は、過冷却熱交換器２５１側の膨張弁に該当する。室内機側膨張弁３１２は、室内機３００の膨張弁に該当する。空気調和システム本体１００が複数の室内機３００を備え、かつ、判定対象膨張弁として室内機側膨張弁３１２が用いられる場合、全ての室内機３００の室内機側膨張弁３１２が判定対象膨張弁として用いられるようにしてもよいし、一部の室内機３００の室内機側膨張弁３１２が判定対象膨張弁として用いられるようにしてもよい。
情報取得部４９１が、膨張弁開度情報として判定対象膨張弁の開度指令値を取得するようにしてもよい。あるいは、情報取得部４９１が、膨張弁開度情報として判定対象膨張弁の開度測定値を取得するようにしてもよい。
【００３０】
過冷却度調整部４９２は、室外熱交換器２３１の過冷却度を増加させる。ここでいう室外熱交換器２３１の過冷却度は、室外熱交換器２３１の出口温度と室外熱交換器２３１の圧力飽和温度との温度差で示される。室外熱交換器２３１が大きいほど、室外熱交換器２３１に溜まっている液体の冷媒の量が多いと考えられる。
過冷却度調整部４９２は、室外側膨張弁２３２の開度を小さくすることで過冷却度を増加させる。あるいは、室外機２００が過冷却度調整用の流量調整弁を室外側膨張弁２３２とは別に備え、過冷却度調整部４９２が、この流量調整弁の開度を制御するようにしてもよい。
【００３１】
冷媒量判定部４９３は、空気調和システム１の冷媒量が適正か否かの判定を行う。具体的には、冷媒量判定部４９３は、過冷却度調整部４９２が過冷却度を増加させる前の判定対象膨張弁の開度及び室外熱交換器２３１の過冷却度と、過冷却度調整部４９２が過冷却度を増加させた後の判定対象膨張弁の開度とに基づいて判定を行う。あるいは、過冷却度調整部４９２が、室外熱交換器２３１の過冷却度の情報を用いず、過冷却度調整部４９２が過冷却度を増加させる前の判定対象膨張弁の開度と過冷却度を増加させた後の判定対象膨張弁の開度とに基づいて判定を行うようにしてもよい。
判定対象膨張弁に複数の膨張弁が含まれる場合、冷媒量判定部４９３が、これら複数の弁の開度の平均値を用いて判定を行うようにしてもよいし、最頻値を用いて判定を行うようにしてもよい。あるいは、冷媒量判定部４９３が、これら複数の弁それぞれの開度が閾値を超えているか否かの多数決に基づいて判定を行うようにしてもよい。
【００３２】
図４は、冷媒量判定部４９３が２段階の過冷却度でのデータに基づいて冷媒量が適正か否かを判定する場合の、判定基準の例を示す図である。図４の例では、冷媒量判定部４９３は、通常状態、過冷却度増加後それぞれにおける異常判定結果に基づいて、空気調和システム本体１００に封入されている冷媒量が適正、過多、過少のいずれであるかを判定する。
【００３３】
例えば、記憶部４８０が、判定基準を示す判定基準情報を予め記憶しておく。そして、冷媒量判定部４９３は、この判定基準情報を用いて判定を行う。
ここでいう通常状態は、過冷却度調整部４９２が室外熱交換器２３１の過冷却度を増加させる前の状態である。従って、ここでいう通常状態は、室外熱交換器２３１の過冷却度を増加させるために室外側膨張弁２３２を絞る制御が行われていない状態である。ここでいう弁を絞ることは、弁の開度を小さくすることである。
【００３４】
冷媒量判定部４９３は、個々の異常判定で、膨張弁開度大、過冷却度大、異常非検出のいずれかの判定結果に決定する。
膨張弁開度大は、判定対象膨張弁の開度が所定の閾値よりも大きいことを示す。この膨張弁開度大は、レシーバタンク２４１の冷媒が不足していることを示す。
レシーバタンク２４１が空になるなどレシーバタンク２４１の冷媒が不足している場合、室内熱交換器３１１を流れる冷媒が不足し、目標温度まで冷却できない状態になる。すると、制御部４９０は、室内熱交換器３１１を流れる冷媒を増加させるために室内機側膨張弁３１２の開度を大きくする。また、制御部４９０は、室外機２００から室外機２００へ流れる冷媒の増加に備えて過冷却側膨張弁２５２の開度を大きくする。
【００３５】
ところが、レシーバタンク２４１の冷媒が不足している状態では、室内機側膨張弁３１２の開度を大きくしても室内熱交換器３１１を流れる冷媒は増加せず、従って、室内機側膨張弁３１２の温度は低下しない。このため、制御部４９０は、室内機側膨張弁３１２の開度及び過冷却側膨張弁２５２の開度をさらに大きくする。このように、レシーバタンク２４１の冷媒が不足している状態では、制御部４９０が、室内機側膨張弁３１２の開度及び過冷却側膨張弁２５２の開度をどんどん大きくし、これによって判定対象膨張弁の開度が閾値よりも大きくなる。上記のように、判定対象膨張弁は、室内機側膨張弁３１２及び過冷却側膨張弁２５２のうち何れか一方又は両方である。
【００３６】
過冷却度大は、室外熱交換器２３１の過冷却度が所定の閾値よりも大きいことを示す。この過冷却度大は、冷媒がレシーバタンク２４１から溢れていることを示す。ここでいう冷媒がレシーバタンク２４１から溢れるとは、レシーバタンク２４１が満杯になり冷媒を収容しきれなくなることである。冷媒がレシーバタンク２４１から溢れた場合、溢れた冷媒が室外熱交換器２３１に溜まることで、室外熱交換器２３１の過冷却度が増加する。レシーバタンク２４１は、室外熱交換器２３１の過冷却度が増加して閾値よりも大きくなると、過冷却度大と判定する。
異常非検出は、膨張弁開度大、過冷却度大のいずれも検出されていないことを示す。
【００３７】
図４の例で冷媒量判定部４９３は、通常状態の異常判定で異常非検出と判定し、かつ、過冷却度増加後の異常判定で膨張弁開度大と判定した場合、空気調和システム本体１００に封入されている冷媒の量が適正であると判定する。
この場合の過冷却度増加後の異常判定結果は、室外熱交換器２３１に冷媒を意図的に溜めた状態で、レシーバタンク２４１の冷媒が不足していることを示している。この結果から、室外熱交換器２３１に冷媒を意図的に溜めていない通常状態では、環境の変化等によりレシーバタンク２４１の冷媒の量が変化しても、レシーバタンク２４１から冷媒が溢れないことが期待される。この場合に適正な判定結果を得られるように、過冷却度調整部４９２が過冷却度を増加させる量を予め調整しておくことができる。
【００３８】
また、冷媒量判定部４９３は、通常状態の異常判定で異常非検出又は過冷却度大と判定し、かつ、過冷却度増加後の異常判定で異常非検出と判定した場合、空気調和システム本体１００に封入されている冷媒の量が過多であると判定する。
通常状態の異常判定結果が過冷却度大である場合、上記のようにレシーバタンク２４１から冷媒が溢れていると考えられる。そこで、冷媒量判定部４９３は、空気調和システム本体１００に封入されている冷媒の量が過多であると判定する。
また、過冷却度増加後の異常判定結果が異常非検出である場合、室外熱交換器２３１に冷媒を意図的に溜めていない通常状態では、レシーバタンク２４１から冷媒が溢れる可能性がある。そこで、冷媒量判定部４９３は、空気調和システム本体１００に封入されている冷媒の量が過多であると判定する。
【００３９】
また、冷媒量判定部４９３は、通常状態の異常判定で膨張弁開度大と判定し、かつ、過冷却度増加後の異常判定で膨張弁開度大と判定した場合、空気調和システム本体１００に封入されている冷媒の量が過多であると判定する。
通常状態の異常判定結果が膨張弁開度大である場合、上記のように、レシーバタンク２４１の冷媒が不足していると考えられる。そこで、冷媒量判定部４９３は、空気調和システム本体１００に封入されている冷媒の量が過少であると判定する。
【００４０】
冷媒量判定部４９３が、図５に示す処理に基づいて冷媒の量が適正であるか否かを判定するようにしてもよい。
図５は、制御装置４００が２段階の過冷却度でのデータに基づいて冷媒量が適正か否かを判定する場合の処理手順の例を示すフローチャートである。
（ステップＳ１０１）
制御部４９０は、空気調和システム本体１００の運転モードを、冷房サイクルの通常運転モードに設定する。この設定に基づき制御部４９０は、空気調和システム本体１００を制御して冷房サイクルかつ通常状態で動作させる。上記のように、通常状態は、室外熱交換器２３１の過冷却度を増加させるために室外側膨張弁２３２を絞る制御が行われていない状態である。
ステップＳ１０１の後、ステップＳ１０２へ進む。
【００４１】
（ステップＳ１０２）
冷媒量判定部４９３は、異常判定を行う。ここでの異常判定は、通常状態での異常判定に該当する。
異常非検出と判定した場合（ステップＳ１０２：異常非検出）、ステップＳ１１１へ進む。過冷却度大と判定した場合（ステップＳ１０２：過冷却度大）、ステップＳ１３１へ進む。膨張弁開度大と判定した場合（ステップＳ１０２：膨張弁開度大）、ステップＳ１４１へ進む。
【００４２】
（ステップＳ１１１）
過冷却度調整部４９２は室外側膨張弁２３２を絞ることで室外熱交換器２３１の過冷却度を増加させる。
ステップＳ１１１の後、ステップＳ１１２へ進む。
（ステップＳ１１２）
冷媒量判定部４９３は、異常判定を行う。ここでの異常判定は、過冷却度増加後の異常判定に該当する。
膨張弁開度大と判定した場合（ステップＳ１２１：膨張弁開度大）、ステップＳ１２１へ進む。異常非検出と判定した場合、過冷却度大と判定した場合のいずれも（ステップＳ１２１：異常非検出ｏｒ過冷却度大）、ステップＳ１３１へ進む。
【００４３】
（ステップＳ１２１）
冷媒量判定部４９３は、空気調和システム本体１００に封入されている冷媒の量が適正であると判定する。
ステップＳ１２１の後、図５の処理を終了する。
（ステップＳ１３１）
冷媒量判定部４９３は、空気調和システム本体１００に封入されている冷媒の量が過多であると判定する。
ステップＳ１３１の後、図５の処理を終了する。
（ステップＳ１４１）
冷媒量判定部４９３は、空気調和システム本体１００に封入されている冷媒の量が過少であると判定する。
ステップＳ１４１の後、図５の処理を終了する。
【００４４】
図６は、制御装置４００が室外熱交換器２３１の過冷却度を増加させる処理手順の例を示すフローチャートである。制御装置４００は、図５のステップＳ１１１で図６の処理を行う。
（ステップＳ２０１）
情報取得部４９１が、通信部４１０を介して室外熱交換器出口温度センサ２９２から室外熱交換器出口温度情報を取得する。室外熱交換器出口温度情報は、室外熱交換器出口温度センサ２９２の温度測定値を示す情報である。この室外熱交換器出口温度情報は、冷房サイクルにおける室外熱交換器２３１の出口温度を示す。
ステップＳ２０１の後、ステップＳ２０２へ進む。
【００４５】
（ステップＳ２０２）
情報取得部４９１は、通信部４１０を介して高圧側圧力センサ２９１から室外熱交換器圧力飽和温度情報を取得する。室外熱交換器圧力飽和温度情報は、高圧側圧力センサ２９１の圧力測定値から算出する情報である。この室外熱交換器圧力飽和温度情報は、室外熱交換器２３１における圧力飽和温度を示す。
ステップＳ２０２の後、ステップＳ２０３へ進む。
【００４６】
（ステップＳ２０３）
情報取得部４９１は、室外熱交換器２３１の過冷却度を算出する。具体的には、冷媒量判定部４９３は、室外熱交換器出口温度情報が示す室外熱交換器２３１の出口温度と、室外熱交換器圧力飽和温度情報が示す圧力飽和温度との差を算出する。
ステップＳ２０３の後、ステップＳ２０４へ進む。
【００４７】
（ステップＳ２０４）
過冷却度調整部４９２は、ステップＳ２０３で得られた過冷却度に基づいて、室外側膨張弁２３２の開度を制御する制御目標値を設定する。例えば、過冷却度調整部４９２は、室外熱交換器２３１の過冷却度を所定温度分だけ上昇させる目標値を設定する。
ステップＳ２０４の後、ステップＳ２０５へ進む。
【００４８】
（ステップＳ２０５）
過冷却度調整部４９２は、室外側膨張弁２３２の開度を絞る制御を行う。例えば、過冷却度調整部４９２は、室外側膨張弁２３２の開度を所定開度だけ減少させる。
ステップＳ２０５の後、ステップＳ２０６へ進む。
（ステップＳ２０６）
過冷却度調整部４９２は、ステップＳ２０４で設定した目標値に到達したか否かを判定する。
目標値に到達していないと判定した場合（ステップＳ２０６：ＮＯ）、ステップＳ２０５へ戻る。目標値に到達したと判定した場合（ステップＳ２０６：ＹＥＳ）、図６の処理を終了する。
【００４９】
冷媒量判定部４９３が、３段階以上の過冷却度でのデータに基づいて冷媒量が適正か否かを判定するようにしてもよい。
図７は、冷媒量判定部４９３が３段階の過冷却度でのデータに基づいて冷媒量が適正か否かを判定する場合の、判定基準の例を示す図である。図７の例では、冷媒量判定部４９３は、第１過冷却度、第２過冷却度、第３過冷却度それぞれにおける異常判定結果に基づいて、空気調和システム本体１００に封入されている冷媒量が適正、過多、過少のいずれであるかを判定する。
【００５０】
第１過冷却度は、通常状態における過冷却度である。従って、第１過冷却度は、室外熱交換器２３１の過冷却度を増加させるために室外側膨張弁２３２を絞る制御が行われていない状態における過冷却度である。第２過冷却度は、前記第１過冷却度よりも大きい過冷却度である。第３過冷却度は、第２過冷却度よりも大きい過冷却度である。
【００５１】
図７の例では、過冷却度調整部４９２が、室外熱交換器２３１の過冷却度を第１過冷却度、第２過冷却度、第３過冷却度のそれぞれに変化させる。冷媒量判定部４９３は、第１過冷却度、第２過冷却度、第３過冷却度それぞれの場合の、判定対象膨張弁の開度及び室外熱交換器２３１の過冷却度に基づいて、空気調和システム１の冷媒量が適正か否かの判定を行う。あるいは、過冷却度調整部４９２が、判定対象膨張弁の開度のみに基づいて、空気調和システム１の冷媒量が適正か否かの判定を行うようにしてもよい。すなわち、過冷却度調整部４９２が、室外熱交換器２３１の過冷却度の情報を用いずに判定を行うようにしてもよい。
【００５２】
図７の例では、過冷却度調整部４９２が室外熱交換器２３１の過冷却度を３段階に変化させる点、及び、冷媒量判定部４９３が、図４に示される判定基準に代えて図７に示される判定基準を用いて判定を行う点で、図４の場合と異なる。それ以外は、図４の場合と同様である。
図７の例で冷媒量判定部４９３は、第１過冷却度における異常判定で異常非検出と判定し、第２過冷却度における異常判定で異常非検出と判定し、かつ、第３過冷却度における異常判定で膨張弁開度大と判定した場合、空気調和システム本体１００に封入されている冷媒の量が適正であると判定する。
【００５３】
一方、冷媒量判定部４９３は、第１過冷却度における異常判定で異常非検出又は過冷却度大と判定し、第２過冷却度における異常判定で異常非検出又は過冷却度大と判定し、かつ、第３過冷却度における異常判定で異常非検出と判定した場合、空気調和システム本体１００に封入されている冷媒の量が過多であると判定する。
また、冷媒量判定部４９３は、第１過冷却度における異常判定で異常非検出又は膨張弁開度大と判定し、第２過冷却度における異常判定で膨張弁開度大と判定し、かつ、第３過冷却度における異常判定で膨張弁開度大と判定した場合、空気調和システム本体１００に封入されている冷媒の量が過少であると判定する。
【００５４】
特に、冷媒量判定部４９３は、第１過冷却度における異常判定で過冷却度大と判定した場合、図４の例で説明したのと同様に、空気調和システム本体１００に封入されている冷媒の量が過多であると判定する。また、冷媒量判定部４９３は、第１過冷却度における異常判定で膨張弁開度大と判定した場合、図４の例で説明したのと同様に、空気調和システム本体１００に封入されている冷媒の量が過少であると判定する。
【００５５】
第２過冷却度は、特に冷媒量が適正である場合と過少である場合とを区別するために設定された過冷却度である。第２過冷却度は、図４の例における過冷却度増加後の過冷却度よりも小さい過冷却度に設定される。
冷媒量判定部４９３は、第２過冷却度における異常判定で膨張弁開度大と判定した場合、第１過冷却度における異常判定で膨張弁開度大と判定した場合と同様に、空気調和システム本体１００に封入されている冷媒の量が過少であると判定する。
【００５６】
第３過冷却度は、特に冷媒量が適正である場合と過多である場合とを区別するために設定された過冷却度である。第３過冷却度は、図４の例における過冷却度増加後の過冷却度と同様の過冷却度に設定される。
冷媒量判定部４９３は、第３過冷却度における異常判定で異常非検出と判定した場合、図４の例で説明したのと同様に、空気調和システム本体１００に封入されている冷媒の量が過多であると判定する。
【００５７】
冷媒量判定部４９３が、図８に示す処理に基づいて冷媒の量が適正であるか否かを判定するようにしてもよい。
図８は、制御装置４００が３段階の過冷却度でのデータに基づいて冷媒量が適正か否かを判定する場合の処理手順の例を示すフローチャートである。
ステップＳ３０１〜Ｓ３０２は、図５のステップＳ１０１〜Ｓ１０２と同様である。ステップＳ３０１での異常判定は、第１過冷却度における異常判定に該当する。
ステップＳ３０２で異常非検出と判定した場合（ステップＳ３０２：異常非検出）、ステップＳ３１１へ進む。過冷却度大と判定した場合（ステップＳ３０２：過冷却度大）、ステップＳ３４１へ進む。膨張弁開度大と判定した場合（ステップＳ３０２：膨張弁開度大）、ステップＳ３５１へ進む。
【００５８】
（ステップＳ３１１）
過冷却度調整部４９２は室外側膨張弁２３２を絞ることで室外熱交換器２３１の過冷却度を増加させる。ステップＳ３１１で制御装置４００が図６の処理を行うことで、過冷却度調整部４９２が室外熱交換器２３１の過冷却度を増加させる。ステップＳ３１１では、過冷却度調整部４９２は、室外熱交換器２３１の過冷却度を第２過冷却度にする。
ステップＳ３１１の後、ステップＳ３１２へ進む。
【００５９】
（ステップＳ３１２）
冷媒量判定部４９３は、異常判定を行う。ここでの異常判定は、第２過冷却度における異常判定に該当する。
異常非検出と判定した場合（ステップＳ３１２：異常非検出）、ステップＳ３２１へ進む。過冷却度大と判定した場合（ステップＳ３１２：過冷却度大）、ステップＳ３４１へ進む。膨張弁開度大と判定した場合（ステップＳ３１２：膨張弁開度大）、ステップＳ３５１へ進む。
【００６０】
（ステップＳ３２１）
過冷却度調整部４９２は室外側膨張弁２３２を絞ることで室外熱交換器２３１の過冷却度を増加させる。ステップＳ３２１で制御装置４００が図６の処理を行うことで、過冷却度調整部４９２が室外熱交換器２３１の過冷却度を増加させる。ステップＳ３２１では、過冷却度調整部４９２は、室外熱交換器２３１の過冷却度を第３過冷却度にする。
ステップＳ３２１の後、ステップＳ３２２へ進む。
【００６１】
（ステップＳ３２２）
冷媒量判定部４９３は、異常判定を行う。ここでの異常判定は、第３過冷却度における異常判定に該当する。
膨張弁開度大と判定した場合（ステップＳ３２２：膨張弁開度大）、ステップＳ３３１へ進む。異常非検出と判定した場合、過冷却度大と判定した場合のいずれも（ステップＳ３２２：異常非検出ｏｒ過冷却度大）、ステップＳ３４１へ進む。
【００６２】
（ステップＳ３３１）
冷媒量判定部４９３は、空気調和システム本体１００に封入されている冷媒の量が適正であると判定する。
ステップＳ３３１の後、図８の処理を終了する。
（ステップＳ３４１）
冷媒量判定部４９３は、空気調和システム本体１００に封入されている冷媒の量が過多であると判定する。
ステップＳ３４１の後、図８の処理を終了する。
（ステップＳ３５１）
冷媒量判定部４９３は、空気調和システム本体１００に封入されている冷媒の量が過少であると判定する。
ステップＳ３５１の後、図８の処理を終了する。
【００６３】
以上のように、過冷却度調整部４９２は、室外熱交換器２３１の過冷却度を増加させる。冷媒量判定部４９３は、過冷却度を増加させる前の判定対象膨張弁の開度と過冷却度を増加させた後の判定対象膨張弁の開度とに基づいて、空気調和システム１の冷媒量が適正か否かの判定を行う。
仮に、制御装置４００が、室外熱交換器２３１の過冷却度を増加させていない状態での情報のみに基づいて、空気調和システム１の冷媒量が適正か否かを判定する場合、レシーバタンク２４１がどの程度の冷媒をさらに収容可能かについては判定することができない。
これに対し、制御装置４００が、室外熱交換器２３１の過冷却度を増加させることで、室外熱交換器２３１に意図的に冷媒を溜め、レシーバタンク２４１の冷媒量を減らすことができる。この状態で判定を行うことで、制御装置４００は、室外熱交換器２３１の過冷却度を増加させていない状態でレシーバタンク２４１がさらに十分な量の冷媒を収容可能か否か判定することができる。従って、制御装置４００は、環境の変化等によりレシーバタンク２４１の冷媒量が増えた場合に、レシーバタンク２４１から冷媒が溢れる可能性を判定することができる。
この点で、制御装置４００は、室外熱交換器２３１の過冷却度を増加させていない状態での情報のみに基づいて判定を行う場合よりも、空気調和システム１の冷媒量が適正か否かの判定を高精度に行うことができる。
過冷却度調整部４９２は、室外側膨張弁２３２の開度を小さくすることで室外熱交換器２３１の過冷却度を増加させることができる。
【００６４】
また、冷媒量判定部４９３は、判定対象膨張弁の開度に加えて、過冷却度を増加させる前の室外熱交換器２３１の過冷却度に基づいて、空気調和システム１の冷媒量が適正か否かの判定を行う。
これにより、冷媒量判定部４９３は、空気調和システム１の冷媒量が過少か否かを判定することができる。
【００６５】
また、過冷却度調整部４９２は、室外熱交換器２３１の過冷却度を第１過冷却度、第２過冷却度、第３過冷却度のそれぞれに変化させる。冷媒量判定部４９３は、第１過冷却度、第２過冷却度、第３過冷却度それぞれの場合の判定対象膨張弁の開度に基づいて、空気調和システム１の冷媒量が適正か否かの判定を行う。
冷媒量判定部４９３は、第２過冷却度の場合の情報を用いて、レシーバタンク２４１の冷媒量が通常状態での冷媒量からある程度減少したときに、冷媒量が不足するか否かを判定することができる。従って、冷媒量判定部４９３は、空気調和システム１の冷媒量が過少か否かを判定することができる。
また、冷媒量判定部４９３は、第３過冷却度の場合の情報を用いて、上記のように、室外熱交換器２３１の過冷却度を増加させていない状態でレシーバタンク２４１がさらに十分な量の冷媒を収容可能か否か判定することができる。
この点で、制御装置４００は、空気調和システム１の冷媒量が適正か否かの判定をさらに高精度に行うことができる。
【００６６】
なお、制御部４９０の全部または一部の機能を実現するためのプログラムをコンピュータ読み取り可能な記録媒体に記録して、この記録媒体に記録されたプログラムをコンピュータシステムに読み込ませ、実行することで各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであっても良い。
【００６７】
以上、本発明の実施形態を図面を参照して詳述してきたが、具体的な構成はこの実施形態に限られるものではなく、この発明の要旨を逸脱しない範囲の設計変更等も含まれる。
【符号の説明】
【００６８】
１  空気調和システム
１００  空気調和システム本体
２００  室外機
２１１  圧縮機
２１２  アキュムレータ
２２１  四方弁
２３１  室外熱交換器
２３２  室外側膨張弁
２４１  レシーバタンク
２５１  過冷却熱交換器
２５２  過冷却側膨張弁
２９１  高圧側圧力センサ
２９２  室外熱交換器出口温度センサ
３００  室内機
３１１  室内熱交換器
３１２  室内機側膨張弁
４００  制御装置
４１０  通信部
４２０  操作入力部
４３０  表示部
４８０  記憶部
４９０  制御部
４９１  情報取得部
４９２  過冷却度調整部
４９３  冷媒量判定部
【図１】
2018141607.tif 000003
【図２】
2018141607.tif 000004
【図３】
2018141607.tif 000005
【図４】
2018141607.tif 000006
【図５】
2018141607.tif 000007
【図６】
2018141607.tif 000008
【図７】
2018141607.tif 000009
【図８】
2018141607.tif 000010